(57)【要約】【課題】筐体内部の圧力の上昇により、扉に数トンの圧力が加えられた場合でも、扉の錠装置が脱落することなく、扉を確実に締め込む。【解決手段】扉Ｄを筐体Ｂにヒンジ部材Ｈを介して回動可能に連結するとともに、ヒンジ部材Ｈで連結されていない他の各部を、扉Ｄ側のハンドル２８の操作により連動スライドする複数のスライド部材１８に形成された複数のだるま穴１９と筐体Ｂ側に突設された複数の係止ピン１１との係合により、複数の錠止点で固定する。【選択図】図１
2009138462.tif 000002
【特許請求の範囲】
【請求項１】
筐体内部の圧力の上昇により大きな圧力に接する扉で、前記扉の一方の側部をヒンジ部材を介して前記筐体の一方の側部に回動可能に連結され、前記扉と前記筐体との間に設けられた錠装置により、前記扉を前記筐体に締め込む扉締め込み構造において、
前記錠装置は、
前記筐体の前記ヒンジ部材で連結されていない垂直方向及び水平方向の他の各部に沿って、垂直方向及び水平方向に適宜の間隔で配置され、前記扉に向けて突設された、周面に係止溝を有する複数の係止ピンと、
前記扉の内面で、前記筐体の他の各部に対向する垂直方向及び水平方向の各部に沿って、垂直方向及び水平方向に向けてスライド可能に設置され、前記各係止ピンが挿通可能な大きい穴と前記係止溝が挿通可能な小さい穴を連続して形成された複数のだるま穴が前記各係止ピンと対応する間隔で形成された複数のスライド部材、及び前記垂直方向及び水平方向の各部の相互の隣接端部間に回動可能に設置され、一方を前記垂直方向のスライド部材に連結されるとともに、他方を前記水平方向のスライド部材に連結されて、前記垂直方向及び前記水平方向の各スライド部材を連動可能に繋ぐ複数のクランク部材と、
前記扉の外面に設けられ、前記垂直方向のスライド部材又は前記水平方向のスライド部材に作動連結されて、前記垂直方向のスライド部材又は前記水平方向のスライド部材を垂直方向又は水平方向に直線駆動するハンドルと、
を備え、
前記ハンドルの操作により、前記垂直方向及び前記水平方向の各スライド部材を、前記各だるま穴の大きい穴が前記各係止ピンに一致して前記各係止ピンに係脱可能な位置と、前記各だるま穴の大きい穴に前記各係止ピンが挿通された状態から前記各小さい穴が前記各係止ピンの係止溝に係合して、前記各小さい穴の周縁に前記各係止ピンが係止可能な位置との間で連動スライドさせ、前記各だるま穴と前記各係止ピンとの係脱により、前記扉の施錠、解錠を行う形式に構成される、
ことを特徴とする扉締め込み構造。
【請求項２】
各スライド部材又は扉の一方に、前記各スライド部材のスライド方向に向けて前記各スライド部材のスライド距離と略同じ長さに形成された複数のガイド穴と、他方に前記各ガイド穴に挿通し、係合可能に設けられた複数のガイドピンとを有し、前記スライド部材をスライド方向に案内し、前記スライド部材の各だるま穴を係止ピンに係脱可能な位置と係止可能な位置に案内するスライドガイドを備える請求項１に記載の扉締め込み構造。
【発明の詳細な説明】
【技術分野】
【０００１】
本発明は、防爆扉など筐体内部の圧力の上昇により大きな圧力に接する扉に使用する扉締め込み構造に関する。
【背景技術】
【０００２】
一般に高圧配電箱などの筐体では、短絡アーク発生時の内圧上昇にそなえて、扉に防爆構造が採られている。従来の防爆扉は筐体の一側部にヒンジ部材を介して連結され、他側部に係止金具などの錠装置が配設されて、これらヒンジ部材と錠装置とにより、扉が筐体に密着して締め込まれ、短絡アーク発生時の爆風により、筐体内部の破損物が筐体外部に飛散しないようになっている。この種の扉の締め込み構造が特許文献１などに記載されている。
【０００３】
【特許文献１】実用新案登録第３０３４４９６号公報
【発明の開示】
【発明が解決しようとする課題】
【０００４】
しかしながら、従来の防爆扉などの扉締め込み構造では、扉が筐体に一方の側部のヒンジ部材と他方の側部の係止金具などにより結合されて、扉の全周のごく一部が固定されているだけなので、筐体内部の圧力の上昇により、扉に数トンの圧力が加えられた場合に、係止金具などの錠装置ではこの圧力に耐え切れずに扉から脱落する、という問題がある。
【０００５】
本発明は、このような従来の問題を解決するもので、この種の扉締め込み構造において、扉を筐体にヒンジ部材を介して回動可能に連結するとともにヒンジ部材で連結されていない他の各部を単一の錠装置による複数の錠止点で固定して、筐体内部の圧力の上昇により、扉に数トンの圧力が加えられた場合でも、扉の錠装置が脱落することなく、扉を確実に締め込むことを目的とする。
【課題を解決するための手段】
【０００６】
上記目的を達成するために、本発明の扉締め込み構造は、筐体内部の圧力の上昇により大きな圧力に接する扉で、前記扉の一方の側部をヒンジ部材を介して前記筐体の一方の側部に回動可能に連結され、前記扉と前記筐体との間に設けられた錠装置により、前記扉を前記筐体に締め込む扉締め込み構造において、
前記錠装置は、
（１）前記筐体の前記ヒンジ部材で連結されていない垂直方向及び水平方向の他の各部に沿って、垂直方向及び水平方向に適宜の間隔で配置され、前記扉に向けて突設された、周面に係止溝を有する複数の係止ピンと、
（２）前記扉の内面で、前記筐体の他の各部に対向する垂直方向及び水平方向の各部に沿って、垂直方向及び水平方向に向けてスライド可能に設置され、前記各係止ピンが挿通可能な大きい穴と前記係止溝が挿通可能な小さい穴を連続して形成された複数のだるま穴が前記各係止ピンと対応する間隔で形成された複数のスライド部材、及び前記垂直方向及び水平方向の各部の相互の隣接端部間に回動可能に設置され、一方を前記垂直方向のスライド部材に連結されるとともに、他方を前記水平方向のスライド部材に連結されて、前記垂直方向及び前記水平方向の各スライド部材を連動可能に繋ぐ複数のクランク部材と、
（３）前記扉の外面に設けられ、前記垂直方向のスライド部材又は前記水平方向のスライド部材に作動連結されて、前記垂直方向のスライド部材又は前記水平方向のスライド部材を垂直方向又は水平方向に直線駆動するハンドルと、
を備え、
（４）前記ハンドルの操作により、前記垂直方向及び前記水平方向の各スライド部材を、前記各だるま穴の大きい穴が前記各係止ピンに一致して前記各係止ピンに係脱可能な位置と、前記各だるま穴の大きい穴に前記各係止ピンが挿通された状態から前記各小さい穴が前記各係止ピンの係止溝に係合して、前記各小さい穴の周縁に前記各係止ピンが係止可能な位置との間で連動スライドさせ、前記各だるま穴と前記各係止ピンとの係脱により、前記扉の施錠、解錠を行う形式に構成される、
ことを要旨とする。
【０００７】
この場合、各スライド部材又は扉の一方に、前記各スライド部材のスライド方向に向けて前記各スライド部材のスライド距離と略同じ長さに形成された複数のガイド穴と、他方に前記各ガイド穴に挿通し、係合可能に設けられた複数のガイドピンとを有し、前記スライド部材をスライド方向に案内し、前記スライド部材の各だるま穴を係止ピンに係脱可能な位置と係止可能な位置に案内するスライドガイドを備えることが好ましい。
【発明の効果】
【０００８】
本発明の扉締め込み構造は、上記の構成により、扉を筐体にヒンジ部材を介して回動可能に連結するとともにヒンジ部材で連結されていない他の各部を単一の錠装置による複数の錠止点（複数の係止ピンとだるま穴による錠止点）で固定するので、筐体内部の圧力の上昇により、扉に数トンの圧力が加えられた場合でも、この圧力をヒンジ部材と錠装置による複数の錠止点により分散して受けることができ、これによって、扉の錠装置が脱落することなく、扉を確実に締め込むことができる。
【発明を実施するための最良の形態】
【０００９】
次に、本発明の一実施の形態について図を用いて説明する。図１に扉締め込み構造を示している。図１に示すように、この扉締め込み構造１は、筐体Ｂ内部の圧力の上昇により大きな圧力に接する扉に適用するもので、扉Ｄの一方の側部がヒンジ部材Ｈを介して筐体Ｂの一方の側部に回動可能に連結され、扉Ｄと筐体Ｂとの間に錠装置１０が設けられ、この錠装置１０により、扉Ｄを筐体Ｂに締め込むようになっている。
【００１０】
この扉締め込み構造１では、筐体Ｂの正面は矩形の固定枠Ｆにより構成されて矩形の開口が形成され、扉Ｄは固定枠Ｆと概ね同じ又は少し小さい矩形状に形成されるとともに、固定枠Ｆに対応する内面全周に断面四角形の筒形形状部ＤＦが構成されて、扉Ｄの一方の側部、この場合、右側部がヒンジ部材Ｈにより筐体Ｂの固定枠Ｆの右側部に取り付けられて（図示省略）、扉Ｄの閉時に、扉Ｄの内面の筒形形状部ＤＦが固定枠Ｆに対接するようになっている。なお、ここで説明の便宜上、筒形形状部ＤＦを構成する各面のうち、特に、既述の固定枠Ｆに対応する内面全周のうち、左側部を扉内面左側部ＤＦ２、上側部を扉内面上側部ＤＦ３、下側部を扉内面下側部ＤＦ４と称し、外周部の内側面のうち、左側部内側面を外周左内側面ＤＦ５、上側部内側面を外周上内側面ＤＦ６、下側部内側面を外周下内側面ＤＦ７と称し、内周部と外周部との間で扉内面左側部ＤＦ２、扉内面上側部ＤＦ３、扉内面下側部ＤＦ４に対向する各面を枠対接面左側面ＤＦ８、枠対接面上側面ＤＦ９、枠対接面下側面ＤＦ１０と、特に筒形形状部ＤＦの内部の面を枠対接面左内側面ＤＦ８１、枠対接面上内側面ＤＦ９１、枠対接面下内側面ＤＦ１０１と称し、また固定枠Ｆを構成する各面のうち、特に左側部を左側面Ｆ２、上側部を上側面Ｆ３、下側部を下側面Ｆ４と称することにする。扉Ｄには、筒形形状部ＤＦのヒンジ部材Ｈで連結されていない垂直方向の部分、この場合、枠対接面左側面ＤＦ８の幅方向中央に、上下両端部を除いて、垂直方向に所定の間隔で、所定の内径を有する複数の円形の穴ＤＦ０（以下、ピン挿通穴ＤＦ０という。）が穿たれ、同様に、枠対接面上側面ＤＦ９及び枠対接面下側面ＤＦ１０のそれぞれ幅方向中央に、枠対接面左側面ＤＦ８側に近接する端部を除いて、水平方向に所定の間隔で、所定の内径を有する複数の円形の穴ＤＦ０（ピン挿通穴ＤＦ０）が穿たれる。さらにこの構造１では、併せて、これらのピン挿通穴ＤＦ０の位置に対応して外周左内側面ＤＦ５、外周上内側面ＤＦ６及び外周下内側面ＤＦ７の幅方向中央に所定の長さを有する小突起状のピンＧ１（以下、ガイドピンＧ１という。）が各ピン挿通穴ＤＦ０と同じピッチで同じ数だけ外周左内側面ＤＦ５、外周上内側面ＤＦ６及び外周下内側面ＤＦ７の対向面に向けて突設される。これに対して、固定枠Ｆには、ヒンジ部材Ｈで連結されていない垂直方向の部分、この場合、左側面Ｆ２に垂直方向に扉Ｄ側の各ピン挿通穴ＤＦ０と同じ所定の間隔で、また水平方向の他の各部分、この場合、上側面Ｆ３及び下側面Ｆ４にそれぞれ水平方向に扉Ｄ側の各ピン挿通穴ＤＦ０と同じ所定の間隔で、ピン挿通穴ＤＦ０よりも小さい所定の内径を有する複数の円形の穴Ｆ０（以下、ピン取付穴Ｆ０という。）が穿たれる。このようにしてこれら扉Ｄの筒形形状部ＤＦと固定枠Ｆとの間に錠装置１０が組み立てられる。
【００１１】
錠装置１０は、筐体Ｂの固定枠Ｆに設置される複数の係止ピン１１と、扉Ｄの内面で筒形形状部ＤＦ内部に設置される複数のスライド部材１８及びクランク部材２４と、扉Ｄの外面に取り付けられ、扉Ｄの内面のスライド部材１８に作動連結されるハンドル２７とにより構成される。
【００１２】
複数の係止ピン１１は各々、図２、図３に示すように、外周面に係止溝１４を有している。この場合、係止ピン１１は所定の長さを有する短い所定の外径を有する円柱形の軸からなり、一方の端部（先端部）側に所定の外径を有する２つの円形のフランジ１２、１３（以下の説明で２つのフランジ１２、１３を使い分ける場合は、先端にある一方のフランジ１２を先端フランジ１２といい、他方のフランジ１３を中間フランジ１３という。）が所定の間隔で並列に形成されて、これらのフランジ１２、１３間に各フランジ１２、１３の外径よりも小さい所定の外径を有する係止溝１４が形成され、他方の端部側にねじ１５が切られて、このねじ１５にワッシャ１６が通されてナット１７が締結されるようになっている。これらの係止ピン１１はねじ１５が固定枠Ｆの各ピン取付穴Ｆ０に正面側から差し込まれ、背面側でこのねじ１５にワッシャ１６が通され、ナット１７を締め付けられて、これらワッシャ１６、ナット１７と係止ピン１１の中間フランジ１３でピン取付穴Ｆ０の全周縁を両側から挟み込んで固定される。このようにして複数の係止ピン１１は固定枠Ｆの各ピン取付穴Ｆ０に取り付けられて、固定枠Ｆの左側面Ｆ２に沿って垂直方向に適宜の間隔で、上側面Ｆ３及び下側面Ｆ４に沿って水平方向に適宜の間隔で配置され、２つのフランジ１２、１３及び係止溝１４を有する一端側（先端側）を閉時の扉Ｄに向けて突出される。なお、既述の固定枠Ｆの各ピン取付穴Ｆ０はこの係止ピン１１のねじ１５が挿通可能に当該ねじ１５の外径よりも僅かに大きい内径が設定され、また、既述の扉Ｄの内面の筒形形状部ＤＦの各ピン挿通穴ＤＦ０は係止ピン１１の先端フランジ１２が挿通可能に当該フランジ１２の外径よりも僅かに大きい内径が設定されることになる。
【００１３】
複数のスライド部材１８はそれぞれ、図２、図３に示すように、細長いプレートで、複数の係止ピン１１が挿通可能な大きい穴２０と各係止ピン１１の係止溝１４が挿通可能な小さい穴２１を連続して形成された複数のだるま穴１９を有している。この場合、複数のスライド部材１８は左側、上部及び下部３つのスライド部材で、これらのスライド部材１８はそれぞれ、扉Ｄの内面の筒形形状部ＤＦの左側部内、筒形形状部ＤＦの上部内、筒形形状部ＤＦの下部内に配置可能に、長さ、幅共に筒形形状部ＤＦの各部の長さ、幅よりも少し小さい断面Ｌ字形の細長いアングル材からなり、細長いスライドプレート２２とこのスライドプレート２２の一側縁部に直角の細長いガイドプレート２３とを有している。各スライド部材１８は筒形形状部ＤＦの各部内部に相隣る端部が接触しない程度に近接して配置され、これを初期位置とすると、この初期位置の各スライド部材１８のスライドプレート２２には、扉Ｄの筒形形状部ＤＦに形成された各ピン挿通穴ＤＦ０（の中心位置）に対応する位置にそれぞれ、だるま穴１９の大きい穴２０（の中心）が一致するように形成され、これに連続する小さい穴２１が各スライド部材１８のスライド方向とは反対の側に隣接して形成される。なお、各だるま穴１９の大きい穴２０は係止ピン１１の先端フランジ１２が挿通可能に当該フランジ１２の外径よりも僅かに大きい内径が設定され、小さい穴２１は係止ピン１１の先端フランジ１２を係止可能に当該フランジ１２の外径よりも小さく、係止ピン１１の係止溝１４が挿通可能に当該係止溝１４の外径より少し大きい内径が設定される。さらにこれらのスライド部材１８にはガイドプレート２３に、併せて、これらのだるま穴１９の位置に対応して扉Ｄの内面の各ガイドピンＧ１が挿通可能な複数のガイド穴Ｇ０が穿たれる。この場合、各ガイド穴Ｇ０の各ガイドピンＧ１の一方の係合端が各だるま穴１９の大きい穴２０の位置に対応し、各スライド部材１８のスライド方向とは反対に向けて各スライド部材１８のスライド距離と略同じ長さの長穴状に形成される。このようにして左側のスライド部材１８は固定枠Ｆの左側面Ｆ２の各係止ピン１１が挿通可能な大きい穴２０と該係止ピン１１の係止溝１４が挿通可能な小さい穴２１を連続して形成された複数のだるま穴１９が各係止ピン１１と対応する間隔で形成され、ガイドプレート２３が扉Ｄの内面で筒形形状部ＤＦの外周左内側面ＤＦ５に各々の対応するガイドピンＧ１をガイド穴Ｇ０に通して合わせられ、スライドプレート２２が筒形形状部ＤＦの枠対接面左内側面ＤＦ８１に合わせられて、筒形形状部ＤＦの左側部内部に垂直方向にスライド可能に設置される。同様にして、上部のスライド部材１８は固定枠Ｆの上側面Ｆ３の各係止ピン１１が挿通可能な大きい穴２０と該係止ピン１１の係止溝１４が挿通可能な小さい穴２１を連続して形成された複数のだるま穴１９が各係止ピン１１と対応する間隔で形成され、ガイドプレート２３が扉Ｄの内面で筒形形状部ＤＦの外周上内側面ＤＦ６に各々の対応するガイドピンＧ１をガイド穴Ｇ０に通して合わせられ、スライドプレート２２が筒形形状部ＤＦの枠対接面上内側面ＤＦ９１に合わせられて、筒形形状部ＤＦの上側部内部に水平方向にスライド可能に設置される。そして、下部のスライド部材１８は固定枠Ｆの下側面Ｆ４の各係止ピン１１が挿通可能な大きい穴２０と該係止ピン１１の係止溝１４が挿通可能な小さい穴２１を連続して形成された複数のだるま穴１９が各係止ピン１１と対応する間隔で形成され、ガイドプレート２３が扉Ｄの内面で筒形形状部ＤＦの外周下内側面ＤＦ７に各々の対応するガイドピンＧ１をガイド穴Ｇ０に通して合わせられ、スライドプレート２２が筒形形状部ＤＦの枠対接面下内側面ＤＦ１０１に合わせられて、筒形形状部ＤＦの下側部内部に水平方向にスライド可能に設置される。
【００１４】
複数のクランク部材２４は、図２、図３に示すように、各スライド部材１８を連動可能に繋ぐレバー構造に構成される。この場合、複数のクランク部材２４は上部及び下部２つのクランク部材で、それぞれ略Ｌ字形の平面形状に形成されている。図２に示すように、上部のクランク部材２４は、扉Ｄの内面の筒形形状部ＤＦ内部で、クランク部材２４の中心部が扉内面左側部ＤＦ２及び扉内面上側部ＤＦ３の相互の隣接端部の内側に枢支ピン２５により支持されて回動可能に設置され、その一方の端部は筒形形状部ＤＦの左側部内部に設置された左側のスライド部材１８のスライドプレート２２の一端と連結ピン２６を介して連結され、他方の端部が筒形形状部ＤＦの上側部内部に設置された上部のスライド部材１８のスライドプレート２２の一端と連結ピン２６を介して連動可能に連結される。同様にして、図３に示すように、下部のクランク部材２４は、筒形形状部ＤＦ内部で、クランク部材２４の中心部が扉内面左側部ＤＦ２及び扉内面下側部ＤＦ４の相互の隣接端部の内側に枢支ピン２５により支持されて回動可能に設置され、その一方の端部は筒形形状部ＤＦの左側部内部に設置された左側のスライド部材１８のスライドプレート２２の他端と連結ピン２６を介して連結され、他方の端部が筒形形状部ＤＦの下側部内部に設置された下部のスライド部材１８のスライドプレート２２の一端と連結ピン２６を介して連結される。このようにして、これら左側のスライド部材１８と上部及び下部の各スライド部材１８は、左側のスライド部材１８の垂直方向、つまり上方向又は下方向のスライドに連動して、上部のスライド部材１８が水平方向、つまり右方向又は左方向にスライドするとともに、下部のスライド部材１８が水平方向、つまり左方向又は右方向にスライドするように連繋される。
【００１５】
ハンドル２７は、図４に示すように、扉Ｄの外面に設置され、扉Ｄの内面のスライド部材１８に作動連結される。この場合、ハンドル２７は引き出し回転操作型のロックハンドル装置が採用され、扉Ｄの外面の左側部上下方向中央部に埋め込み固着されている。このロックハンドル装置２７は、扉Ｄの外面に引き出し回転可能に取り付けられたハンドル２８と、このハンドル２８の引き出し回転操作により回転可能な施錠軸２９と、この施錠軸２９に連動装備されたピニオン３０と、扉Ｄの内面の左側のスライド部材１８のガイドプレート２３の中央に固着され、ピニオン３０に係合可能なラック３１とを備え、ラック３１の歯はピニオン３０のピッチに合せて開口された横長のスロットの連続によって構成されている。このようにしてハンドル２８を上方向に回転操作することにより、ピニオン３０とラック３１の共働作用によって、扉Ｄの内面の左側のスライド部材１８を垂直方向に、この場合、下方向に直線駆動し、このスライド部材１８に連動して、上部のスライド部材１８が水平方向、この場合、左方向に直線移動するとともに、下部のスライド部材１８が水平方向、この場合、右方向に直線移動し、反対に、ハンドル２８を下方向に回転操作することにより、ピニオン３０とラック３１の共働作用によって、左側のスライド部材１８を上方向に直線駆動し、このスライド部材１８に連動して、上部のスライド部材１８が右方向に直線移動するとともに、下部のスライド部材１８が左方向に直線移動するようになっている。
【００１６】
図５乃至図８にこの扉締め込み構造１による扉Ｄの施錠、解錠形式を具体的に示している。まず、図５及び図６に示すように、扉Ｄの外面でハンドル２８を上方向に回転操作すると、ピニオン３０とラック３１の共働作用によって、扉Ｄの内面で左側のスライド部材１８が筒状形状部ＤＦの左側部内部でガイドプレート２３の各ガイド穴Ｇ０と外周左内側面ＤＦ５の各ガイドピンＧ１との係合案内により垂直方向、この場合、下方向に所定のスライド距離だけ直線駆動され、スライドプレート２２の各だるま穴１９の大きい穴２０が筒形形状部ＤＦの各ピン挿通穴ＤＦ０と一致して連通する。この左側のスライド部材１８の動きに連動スライドして、上部のスライド部材１８が筒状形状部ＤＦの上部内部でガイドプレート２３の各ガイド穴Ｇ０と外周上内側面ＤＦ６の各ガイドピンＧ１との係合案内により水平方向、この場合、左方向に所定のスライド距離だけ直線駆動され、スライドプレート２２の各だるま穴１９の大きい穴２０が筒形形状部ＤＦの各ピン挿通穴ＤＦ０と一致して連通するとともに、下部のスライド部材１８が筒状形状部ＤＦの下部内部でガイドプレート２３の各ガイド穴Ｇ０と外周下内側面ＤＦ７の各ガイドピンＧ１との係合案内により水平方向、この場合、右方向に所定のスライド距離だけ直線駆動され、スライドプレート２２の各だるま穴１９の大きい穴２０が筒形形状部ＤＦの各ピン挿通穴ＤＦ０と一致して連通する。これにより、扉Ｄの内面の３つのスライド部材１８は各だるま穴１９が固定枠Ｆの３面の各係止ピン１１に係脱可能な位置にスライドされ、扉Ｄが解錠状態となる。したがって、扉Ｄが筐体Ｂから開いていれば、扉Ｄを固定枠Ｆに向けて閉めることにより、扉Ｄの内面の筒形形状部ＤＦのすべてのピン挿通穴ＤＦ０を通して筒形形状部ＤＦ内部のスライド部材１８のすべてのだるま穴１９の大きい穴２０に、固定枠Ｆ上のすべての係止ピン１１が挿通される。また、扉Ｄが閉まっていれば、扉Ｄを開けることにより、扉Ｄの内面の筒形形状部ＤＦのすべてのピン挿通穴ＤＦ０を通して筒形形状部ＤＦ内部のスライド部材１８のすべてのだるま穴１９の大きい穴２０に挿通されている固定枠Ｆ上のすべての係止ピン１１が抜け外れる。すなわち、扉Ｄは開閉自在となる。そして、扉Ｄを閉めた状態から、すなわち、扉Ｄの内面の筒形形状部ＤＦのすべてのピン挿通穴ＤＦ０を通して筒形形状部ＤＦ内部のスライド部材１８のすべてのだるま穴１９の大きい穴２０に、固定枠Ｆ上のすべての係止ピン１１が挿通された状態から、図７及び図８に示すように、ハンドル２８を下方向に回転操作すると、ピニオン３０とラック３１の共働作用によって、扉Ｄの内面で左側のスライド部材１８が筒状形状部ＤＦの左側部内部でガイドプレート２３の各ガイド穴Ｇ０と外周左内側面ＤＦ５の各ガイドピンＧ１との係合案内により垂直方向、この場合、上方向に所定のスライド距離だけ直線駆動され、スライドプレート２２の各だるま穴１９の小さい穴２１が筒形形状部ＤＦの各ピン挿通穴ＤＦ０と一致して連通し、各係止ピン１１の係止溝１４に係止する。すなわち、各係止ピン１１の先端フランジ１２は各小さい穴２１の周縁部に係止される。この左側のスライド部材１８の動きに連動スライドして、上部のスライド部材１８が筒状形状部ＤＦの上部内部でガイドプレート２３の各ガイド穴Ｇ０と外周上内側面ＤＦ６の各ガイドピンＧ１との係合案内により水平方向、この場合、右方向に所定のスライド距離だけ直線駆動され、スライドプレート２２の各だるま穴１９の小さい穴２１が筒形形状部ＤＦの各ピン挿通穴ＤＦ０と一致して連通し、各係止ピン１１の係止溝１４に係止するとともに、下部のスライド部材１８が筒状形状部ＤＦの下部内部でガイドプレート２３の各ガイド穴Ｇ０と外周下内側面ＤＦ７の各ガイドピンＧ１との係合案内により水平方向、この場合、左方向に所定のスライド距離だけ直線駆動され、スライドプレート２２の各だるま穴１９の小さい穴２１が筒形形状部ＤＦの各ピン挿通穴ＤＦ０と一致して連通し、各係止ピン１１の係止溝１４に係止する。すなわち、各係止ピン１１の先端フランジ１２は各小さい穴２１の周縁部に係止される。これにより、扉Ｄの内面の３つのスライド部材１８はだるま穴１９が固定枠Ｆの３面の各係止ピン１１に係止可能な位置にスライドされ、扉Ｄが施錠状態となる。このようにして扉Ｄの右側部は筐体Ｂにヒンジ部材Ｈにより結合され、扉Ｄのヒンジ部材Ｈで連結されていない左側部、上部及び下部は複数の係止ピン１１とスライド部材１８の複数の小さい穴２１（の周縁部）との係合による複数の錠止点で固定される。この状態で、既述したように、筐体Ｂ内部の圧力の上昇により、扉Ｄに数トンの圧力が加えられた場合でも、この圧力は複数の錠止点で分散されるので、各部の負荷は小さくなり、各錠止点が破損脱落することなく、扉Ｄは筐体Ｂに確実に締め込まれる。
【００１７】
以上説明したように、この扉締め込み構造１によれぱ、扉Ｄの右側部を筐体Ｂの固定枠Ｆの右側部にヒンジ部材Ｈにより回動可能に結合し、扉Ｄのヒンジ部材Ｈで結合されていない左側部、上部、下部を、ハンドル２８の操作により、左側部の垂直方向のスライド部材１８と、上部及び下部の水平方向の各スライド部材１８を、各スライド部材１８の複数のだるま穴１９の大きい穴２０が筐体Ｂの固定枠Ｆの左側面、上側面及び下側面の複数の係止ピン１１に一致して各係止ピン１１に係脱可能な位置と、複数のだるま穴１９の大きい穴２０に複数の係止ピン１１が挿通された状態から各小さい穴２１が各係止ピン１１の係止溝１４に係合して、各小さい穴２１の周縁部に各係止ピン１１が係止可能な位置との間で連動スライドして、左側部、上部及び下部の各スライド部材１８の複数のだるま穴１９と固定枠Ｆの左側面、上側面及び下側面の複数の係止ピン１１との係脱により、扉Ｄの施錠、解錠を行う形式に構成し、扉２を筐体Ｂの全周にヒンジ部材Ｈとともに単一の錠装置１０による複数の錠止点で固定するので、筐体Ｂ内部の圧力の上昇により、扉Ｄに数トンの圧力が加えられた場合でも、この圧力をヒンジ部材Ｈとともに錠装置１０による複数の錠止点に分散して、負荷を小さくすることができ、錠装置１０が破損、脱落することなく、扉Ｄを確実に締め込むことができる。
【００１８】
また、この構造１では、扉Ｄの内面の各スライド部材１８にガイドプレート２３を設け、このガイドプレート２３に複数のガイド穴Ｇ０を形成するとともに、扉Ｄの内面に複数のガイドピンＧ１を設けて、各スライド部材１８のスライド方向を案内し、スライド部材１８の各だるま穴１９を各係止ピン１１に係脱可能な位置と係止可能な位置に案内するようにしたので、各スライド部材１８を円滑にスライドさせ、各だるま穴１９と各係止ピン１１とを円滑かつ確実に係脱、係止させることができる。なお、この場合、スライド部材１８に複数のガイド穴Ｇ０を有するガイドプレート２３を設け、扉Ｄの内面に複数のガイドピンＧ１を設けたが、反対に、扉Ｄの内面に複数のガイド穴を有するガイドプレートを設け、スライド部材１８に複数のガイドピンを設けてもよく、このようにしても同様の作用効果を得ることができる。
【図面の簡単な説明】
【００１９】
【図１】（ａ）本発明の一実施の形態における扉締め込み構造の平面断面図（ｂ）同構造の側面断面図（ｃ）同構造の正面断面図
【図２】（ａ）同構造の部分拡大側面断面図（ｂ）同構造の部分拡大正面断面図
【図３】（ａ）同構造の部分拡大側面断面図（ｂ）同構造の部分拡大正面断面図
【図４】同構造の部分拡大側面断面図
【図５】同構造の動作例を示す部分拡大側面断面図
【図６】同構造の動作例を示す一部省略正面断面図
【図７】同構造の動作例を示す部分拡大側面断面図
【図８】同構造の動作例を示す一部省略正面断面図
【符号の説明】
【００２０】
１  扉締め込み構造
１０  錠装置
１１  係止ピン
１２  （先端）フランジ
１３  （中間）フランジ
１４  係止溝
１５  ねじ
１６  ワッシャ
１７  ナット
１８  スライド部材
１９  だるま穴
２０  大きい穴
２１  小さい穴
２２  スライドプレート
２３  ガイドプレート
２４  クランク部材
２５  枢支ピン
２６  連結ピン
２７  ハンドル（ロックハンドル装置）
２８  ハンドル
２９  施錠軸
３０  ピニオン
３１  ラック
Ｄ  扉
ＤＦ  筒形形状部
ＤＦ２  扉内面左側部
ＤＦ３  扉内面上側部
ＤＦ４  扉内面下側部
ＤＦ５  外周左内側面
ＤＦ６  外周上内側面
ＤＦ７  外周下内側面
ＤＦ８  枠対接面左側面
ＤＦ８１  枠対接面左内側面
ＤＦ９  枠対接面上側面
ＤＦ９１  枠対接面上内側面
ＤＦ１０  枠対接面下側面
ＤＦ１０１  枠対接面下内側面
ＤＦ０  ピン挿通穴
Ｇ０  ガイド穴
Ｇ１  ガイドピン
Ｂ  筐体
Ｆ  固定枠
Ｆ２  左側面
Ｆ３  上側面
Ｆ４  下側面
Ｆ０  ピン取付穴
Ｈ  ヒンジ部材
【図１】
2009138462.tif 000003
【図２】
2009138462.tif 000004
【図３】
2009138462.tif 000005
【図４】
2009138462.tif 000006
【図５】
2009138462.tif 000007
【図６】
2009138462.tif 000008
【図７】
2009138462.tif 000009
【図８】
2009138462.tif 000010